(57)【要約】【課題】本発明は、ノートブックパーソナルコンピューターの作業工程及びそのサイズを最小化することができる液晶表示モジュールの固定方法及び装置に関する。【解決手段】本発明による液晶表示モジュールを有する上部サッシ、下部サッシ、前記上部サッシを前記の下部サッシに結合する固定台、前記の固定台に結合されたヒンジ及び前記のヒンジに結合されたアームを備えたコンピューターの液晶表示モジュールを固定する方法は、前記上部サッシ内の前記ヒンジにより、前記固定台の一側端部に結合されたアームを、前記上部サッシの側壁と前記液晶表示モジュールの側壁と間に位置するように配置させる段階と、前記上部サッシの側壁と前記液晶表示モジュールの側壁を、前記アームを経由して固定する段階とを含む。【選択図】　図３
2004004721.tif 000002
【特許請求の範囲】
【請求項１】
上部サッシと、下部サッシと、前記下部サッシに前記上部サッシを連結する固定台と、前記上部サッシに含まれるように前記固定台に連結されたヒンジと、前記上部サッシに含まれるように前記ヒンジに連結されたアームとを具備するコンピュータに液晶表示モジュールを固定する方法において、
前記ヒンジを経由して前記固定台の一側に連結されたアームを前記上部サッシの側壁と前記液晶表示モジュールの側壁の間に配置する段階と、
前記上部サッシの側壁を前記液晶表示モジュールの側壁と共に前記アームに固定する段階と、
を含むことを特徴とするコンピュータへの液晶表示モジュール固定方法。
【請求項２】
前記固定する段階は前記上部サッシの側壁と前記アームを貫通じて前記液晶表示モジュールに一部が挿入される取付け部材を使用することを特徴とする請求項１記載のコンピュータヘの液晶表示モジュール固定方法。
【請求項３】
前記固定する段階は前記取付け部材としてネジを用いることを特徴とする請求項２記載のコンピュータへの液晶表示モジュール固定方法。
【請求項４】
前記上部サッシの内部にヒンジを位置させる段階を更に含むことを特徴とする請求項１記載のコンピュータヘの液晶表示モジュール固定方法。
【請求項５】
上部部品と、下部部品と、前記下部部品に前記上部部品を連結する固定部材と、前記上部部品に含まれるように前記固定部材に連結されたヒンジと、前記上部部品に含まれるように前記ヒンジに連結されたアームと、保護台を有する液晶表示モジュールとを具備するコンピュータに液晶表示モジュールを固定する方法において、
前記上部部品内の前記ヒンジを経由して前記固定部材に連結されたアームを前記上部部品の側面と前記液晶表示モジュールの前記保護台の間に配置する段階と、
前記上部部品の側壁を前記液晶表示モジュールの前記保護台と共に前記アームに固定する段階と、
を含むことを特徴とする液晶表示モジュール固定方法。
【請求項６】
前記固定する段階は前記上部部品の側壁と前記アームを貫通すると共に前記液晶表示モジュールの前記保護台に少なくとも一部が挿入される取付け部材を使用することを特徴とする請求項５記載のコンピュータヘの液晶表示モジュール固定方法。
【請求項７】
前記上部部品の側壁は前記アームを経由して前記液晶表示モジュールの前記保護台にネジ止めされることを特徴とする請求項５記載のコンピュータヘの液晶表示モジュール固定方法。
【請求項８】
前記上部部品の側壁は少なくとも一つの孔を有しており、前記上部部品の側壁、前記液晶表示モジュール及び前記アームは前記上部部品の側壁の前記少なくとも一つの孔を経由して挿入された取付け部材により共にネジ止めされることを特徴とする請求項５記載のコンピュータヘの液晶表示モジュール固定方法。
【請求項９】
上部部品と、下部部品と、前記下部部品に前記上部部品を連結する固定台と、前記上部部品に含まれた液晶表示モジュールと、前記上部部品に含まれるように前記固定台に連結されたヒンジ及び前記上部部品に含まれるように前記ヒンジに連結されたアームとを具備するコンピュータに液晶表示モジュールを固定する方法において、
前記ヒンジを経由して前記固定台の一側に連結されたアームを前記上部部品の側面と前記液晶表示モジュールの側壁の間に配置する段階と、
前記液晶表示モジュール及び前記アームが前記上部部品の側壁でネジ止めされるように前記上部部品、前記液晶表示モジュール及び前記アームを共にネジ止めする段階と、
を含むことを特徴とするコンピュータヘの液晶表示モジュール固定方法。
【請求項１０】
前記アームは前記上部部品の縁に沿って伸張していることを特徴とする請求項９記載のコンピュータヘの液晶表示モジュール固走方法。
【請求項１１】
前記アームは実質的に前記上部部品の緑の全長に沿って伸張していることを特徴とする請求項１０記載のコンピュータヘの液晶表示モジュール固定方法。
【請求項１２】
前記上部部品、前記液晶表示モジュール及び前記アームは同一の位置でネジ止めされることを特徴とする請求項９記載のコンピュータヘの液晶表示モジュール固定方法。
【請求項１３】
上部サッシと、下部サッシと、前記下部サッシに前記上部サッシを連結する固定台と、前記上部サッシに含まれるように前記固定台に連結されたヒンジと、前記上部サッシに含まれた液晶表示モジュールと、前記上部サッシに含まれるように前記ヒンジに連結されたアームとを具備するコンピュータに液晶表示モジュールを固定する方法において、
前記上部サッシ内の前記ヒンジを経由して前記固定台の一側に連結されたアームを前記上部サッシの側壁と前記液晶表示モジュールの側壁の間に配置する段階と、
前記上部サッシの側壁を前記液晶表示モジュールの側壁と共に前記アームに固定する段階と、
を含むことを特徴とするコンピュータヘの液晶表示モジュール固定方法。
【請求項１４】
前記固定台と隣接した前記下部サッシの内部にヒンジを位置させる段階を更に含むことを特徴とする請求項１３記載のコンピュータヘの液晶表示モジュール固定方法。
【請求項１５】
液晶表示モジュールを含む上部部品と、下部部品と、前記下部部品に前記上部部品を連結するヒンジユニットと、前記ヒンジユニットに連結されたアームとを具備するコンピュータに液晶表示モジュールを固定する方法において、
前記ヒンジユニットに連結された前記アームを前記上部部品の側面と前記液晶表示モジュールの側壁の間に配置する段階と、
前記液晶表示モジュール及び前記アームが前記上部部品の側壁にネジ止めされるように前記上部部品、前記液晶表示モジュール及び前記アームを共にネジ止めする段階と、
を含むことを特徴とするコンピュータヘの液晶表示モジュールの固定方法。
【請求項１６】
上部部品及び下部部品を有するコンピュータに液晶パネルを固定する方法において、
前記液晶パネルを有する前記上部部品を準備する段階と、
ヒンジユニットを経由して前記上部部品に連結された前記下部部品を準備する段階と、
前記液晶パネルの側壁で前記液晶パネルに取り付けるように支持部材を前記上部部品に取り付ける段階と、
を含むことを特徴とするコンピュータヘの液晶表示モジュール固定方法。
【請求項１７】
上部サッシと、下部サッシと、前記下部サッシに前記上部サッシを連結する固定台と、前記上部サッシに含まれた液晶表示モジュールと、前記上部サッシに含まれるように前記固定台に連結されたヒンジと、前記上部サッシに含まれるように前記ヒンジに連結されたアームとを具備するコンピュータに液晶表示モジュールを固定する方法において、
前記上部サッシ内の前記ヒンジを経由して前記固定台の一側に連結されたアームを前記上部サッシの側壁と前記液晶表示モジュールの側壁の間に配置する段階と、
前記上部サッシの側壁と前記液晶表示モジュールの側壁とを前記アームに共に固定する段階と、
を含むことを特徴とするコンピュータヘの液晶表示モジュール固定方法。
【請求項１８】
上部サッシと、下部サッシと、前記下部サッシに前記上部サッシを連結する固定台と、前記下部サッシに含まれるように前記固定台に連結されたヒンジと、前記上部サッシに含まれた液晶表示モジュールと、前記上部サッシに含まれるように前記ヒンジに連結されたアームとを具備するコンピュータに液晶表示モジュールを固定する方法において、
前記下部サッシ内の前記ヒンジを経由して前記固定台の一側に連結されたアームを前記上部サッシの側壁と前記液晶表示モジュールの側壁の間に配置する段階と、
前記上部サッシの側壁と前記液晶表示モジュールの側壁とを前記アームに共に固定する段階と、
を含むことを特徴とするコンピュータヘの液晶表示モジュール固定方法。
【請求項１９】
下部サッシに旋回可能に設置された上部サッシと、前記上部サッシに設置される液晶表示モジュールとを含むコンピュータに前記液晶表示モジュールを固定する装置において、
前記下部サッシの内部に固定された固定台と、
前記固定台に連結されたヒンジと、
前記ヒンジを経由して前記固定台の一側に旋回可能に連結されたアームと、
前記液晶表示モジュールの側壁で前記アームを中心にして前記上部サッシと前記液晶表示モジュールを固定する取付け部材と、
を具備することを特徴とするコンピュータヘの液晶表示モジュール固定装置。
【請求項２０】
下部サッシに旋回可能に設置された上部サッシと、前記上部サッシに設置される液晶表示モジュールとを含むコンピュータに前記液晶表示モジュールを固定する装置において、
前記下部サッシの内部に固定台を固定する手段と、
前記固定台に連結されたヒンジと、
前記ヒンジを経由して前記固定台の一側にアームを旋回可能に連結する手段と、
前記液晶表示モジュールの側壁で前記アームを中心にして前記上部サッシ及び前記液晶表示モジュールを固定する手段と、
を具備することを特徴とするコンピュータへの液晶表示モジュール固定装置。
【請求項２１】
下部部品に固定された上部部品と、前記上部部品に設置されると共に側壁を有する液晶表示モジュールとを含むコンピュータに前記液晶表示モジュールを固定する装置において、
前記下部部品に固定された固定台と、
前記固定台に連結されたヒンジと、
前記ヒンジを経由して前記固定台の一側に旋回可能に連結されたアームとを具備してなり、
前記上部部品、前記液晶表示モジュール及び前記アームは共にネジ止めされており、かつ前記液晶表示モジュール及びアームは前記液晶表示モジュールの前記側壁と共にネジ止めされていることを特徴とするコンピュータヘの液晶表示モジュール固定装置。
【請求項２２】
下部部品に固定された上部部品と、前記上部部品に設置された側壁を有する液晶表示モジュールとを含むコンピュータに前記液晶表示モジュールを固定する装置において、
前記下部部品に前記上部部品を連結する固定部材と、
前記固定部材に連結されたヒンジと、
前記ヒンジを経由して前記固定部材の一側に旋回可能に連結されたアームとを具備してなり、
前記上部部品、前記液晶表示モジュール及び前記支持アームは共にネジ止めされており、
前記液晶表示モジュール及びアームは前記液晶表示モジュールの前記側壁と共にネジ止めされていることを特徴とするコンピュータヘの液晶表示モジュール固定装置。
【請求項２３】
下部部品に固定された上部部品と、前記上部部品に設置される液晶表示モジュールとを含むコンピュータに前記液晶表示モジュールを固定する装置において、
前記下部部品の内部に固定された固定部材と、
前記固定部材に連結されたヒンジと、
前記液晶表示モジュールの側壁に取り付けられたアームと、
前記液晶表示モジュール及び前記アームを前記液晶表示モジュールの前記側壁に取り付けるネジユニットと、
を具備することを特徴とするコンピュータヘの液晶表示モジュール固定装置。
【請求項２４】
下部サッシに旋回可能に設置された上部サッシと、前記上部サッシに設置される液晶表示モジュールとを含むコンピュータに前記液晶表示モジュールを固定する装置において、
前記下部サッシの内部に固定された固定台と、
前記固定台に連結されたヒンジと、
前記ヒンジを経由して前記固定台の一側に旋回可能に連結されたアームと、
前記アームに前記上部サッシ及び前記液晶表示モジュールを固定する取付け部材と、
を具備することを特徴とするコンピュータへの液晶表示モジュール固定装置。
【請求項２５】
下部サッシに旋回可能に設置された上部サッシと、前記上部サッシに設置される液晶表示モジュールとを含むコンピュータに前記液晶表示モジュールを固定する装置において、
前記下部サッシの内部に固定台を固定する手段と、
前記固定台に連結されたヒンジと、
前記ヒンジを経由して前記固定台の一側にアームを旋回可能に連結する手段と、
前記アームに前記上部サッシ及び前記液晶表示モジュールを固定する手段と、
を具備することを特徴とするコンピュータヘの液晶表示モジュール固定装置。
【請求項２６】
下部部品に連結されると共に液晶表示モジュールを含む上部部品を具備する液晶表示ユニットにおいて、
前記下部部品に固定された固定部材と、
前記固定部材に連結されたヒンジと、
前記ヒンジを経由して前記固定部材に旋回可能に連結されたアームと、
前記アームに前記上部部品及び前記液晶表示モジュールを固定する取付け部材と、
を具備することを特徴とする液晶表示ユニット。
【請求項２７】
下部部品に連結されると共に液晶表示モジュールを含む上部部品を具備する液晶表示ユニットにおいて、
前記下部部品に固定部材を固定する手段と、
前記固定部材にヒンジを連結する手段と、
前記ヒンジを経由して前記固定部材にアームを旋回可能に連結する手段と、
前記液晶表示モジュールの側壁に前記上部部品及び前記液晶表示モジュールを固定する手段と、
を具備することを特徴とする液晶表示ユニット。
【請求項２８】
下部部品に連結されると共に液晶表示モジュールを含む上部部品を具備する液晶表示ユニットにおいて、
前記下部部品に固定された固定部材と、
前記固定部材に連結されたヒンジと、
前記ヒンジを経由して前記固定部材に旋回の可能に違結されたアームとを具備して、
前記上部部品、前記液晶表示モジュール及び前記アームは共にねじられて、前記液晶表示モジュール及び前記アームは前記液晶表示モジュールの側壁で共にねじられることを特徴とする液晶表示ユニット。
【請求項２９】
下部部品に連結されると共に液晶表示モジュールを含む上部部品を具備する液晶表示ユニットにおいて、
前記上部部品を前記下部部品に連結するヒンジユニットと、
前記ヒンジユニットに連結されたアームとを具備してなり、
前記上部部品、前記液晶表示モジュール及び前記アームが共にネジ止めされており、
前記液晶表示モジュール及び前記アームは前記液晶表示モジュールの側壁で共にネジ止めされていることを特徴とする液晶表示ユニット。
【請求項３０】
表示モジュールを含む上部部品と、
下部部品と、
前記下部部品に前記上部部品を連結する固定部材と、
前記固定部材に連結されたヒンジと、
前記ヒンジを経由して前記固定部材にアームを旋回可能に固定する手段と、
前記ヒンジに連結されると共に前記上部部品の側壁と前記表示モジュールの間に配置されたアームとを具備してなり、
前記上部部品の側壁と前記表示モジュールが前記アームに共に固定されることを特徴とする携帯用コンピュータ。
【請求項３１】
側壁を有する表示モジュールを含む上部部品と、
下部部品と、
前記下部部品に前記上部部品を連結する固定部材と、
前記固定部材に連結されたヒンジと、
前記ヒンジに連結されると共に前記上部部品及び前記表示モジュールの前記側壁の間に配置されたアームとを具備してなり、
前記上部部品、前記表示モジュール及び前記アームは共にネジ止めされており、前記表示モジュールの前記側壁は前記アームに固定されることを特徴とする携帯用コンピュータ。
【請求項３２】
側壁を有する表示モジュールを含む上部部品と、
下部部品と、
前記上部部品を前記下部部品に連結するヒンジユニットと、
前記ヒンジユニットに連結されると共に前記上部部品の側壁と前記表示モジュールの前記側壁の間に位置するアームとを具備してなり、
前記表示モジュールの前記側壁が前記アームに固定されており、前記上部部品が前記アームに固定されていることを特徴とする携帯用コンピュータ。
【請求項３３】
表示パネルを有する上部部品と、
前記上部部品に連結された下部部品と、
前記上部部品を前記下部部品に旋回可能に連結するヒンジユニットと、
前記表示パネルの側壁で前記上部部品及び前記表示パネルすべてに取り付けられた支持部材と、
を具備することを特徴とする携帯用コンピュータ。
【発明の詳細な説明】
【０００１】
【発明の属する技術分野】
本発明は、液晶表示モジュールを有するコンピューターに関するもので、特にノートブックパーソナルコンピューター等のようなコンピュータに液晶表示モジュールを固定する方法及び装置に関する。
【０００２】
【従来の技術】
一般的に、通常のノートブックパーソナルコンピューターは、使用者が移動中に情報を利用可能にするために、ノートブックサイズで製作されている。このようなノートブックパーソナルコンピューターでは、情報を表示するための手段として液晶表示モジュールが使用される。このような液晶表示モジュールは、液晶表示モジュールとキーボードとを備えたコンピューターシステムを移動する場合、損傷されないように保護されなければならない。また、液晶表示モジュールは、使用時開放されるように、サッシ（ｓａｓｈ）（または可動フレーム）に固定されなければならない。そのために、液晶表示モジュールは、上部サッシが下部サッシの一側辺を基準として旋回することにより、下部サッシの上面（または内側面）に設置されたキーボードと重なるか、または、キーボードと共に使用者に開放されるように、上部サッシの下面（または内側面）に設置されている。
【０００３】
図１は、従来のノートブックパーソナルコンピューターの正断面図の部分拡大図であり、図２は従来のノートブックパーソナルコンピューターの側断面図の部分拡大図である。図１及び図２を参照すると、従来のノートブックパーソナルコンピューターでは、図１の図示の通りヒンジ２０により液晶表示モジュール１４及び、上部サッシ１２が旋回可能に下部サッシ１０に固定されている。液晶表示モジュール１４の縁には、保護台１４ａが形成されており、この保護台１４ａには支持片１４ｂが形成されている。この支持片１４ｂは、ネジ２２により上部サッシ１２の下面（または内側面）に固定され、液晶表示モジュール１４が動かないように支持する。
【０００４】
一方、ヒンジ２０は固定台１６の一側端部にアーム１８を旋回可能に結合させる。この固定台１６は、下部サッシ１０の内部、即ち下部サッシ１０の後壁面にネジ等２２により固定される。アーム１８は、上部サッシ１２の下面（または内側面）にネジ２２により固定され、液晶表示モジュール１４と上部サッシ１２が、下部サッシ１０の後壁に上端部を基準として旋回するように支持する。そして、アーム１６は上部サッシ１２の荷重に十分に耐えられるように、すなわち上部サッシ１２の下面と多く接触するように“Ｆ”字の形状に形成される。
【０００５】
このように、従来のノートブックパーソナルコンピューターでは、ヒンジ２０と液晶表示モジュール１４が、上部サッシ１２の下面に個別的に固定されるので作業工程が多くなる。併せて、上部サッシ１２でアーム１６が占有する面積が大きいので、表示部（すなわち液晶表示モジュール）の有効面積が小さくなる。そのために、ノートブックパーソナルコンピューターのサイズが大きくなる。
【０００６】
【発明が解決しようとする課題】
従って、本発明の目的は、上記のような関連技術における制限及び短所による多様な問題点を実質的に解消することができる、液晶表示モジュールの固定方法及び装置を提供することにある。
【０００７】
本発明の他の目的は、ノートブックパーソナルコンピューターの作業工程を最小化することができる、液晶表示モジュールの固定方法及び装置を提供することにある。
【０００８】
本発明のまた他の目的は、ノートブックコンピューターのサイズを最小化することができる、液晶表示モジュールの固定方法及び装置を提供することにある。
【０００９】
本発明のその他の特徴及び長所は次の説明に記載され、一部はその説明から明らかになり、また本発明を実施することによって明らかになる。本発明の目的及び長所は、明細書の詳細な説明及び請求範囲及び添付図面において特に開示した構造によって具現される。
【００１０】
【課題を解決するための手段】
前記の目的を達成するために、本発明による液晶表示モジュールを有する上部サッシ、下部サッシ、前記サッシ部を前記の下部サッシに結合する固定台、前記固定台に結合されたヒンジ及び、前記のヒンジに結合されたアームを供えたコンピューターの液晶表示モジュールを固定する方法は、前記上部サッシ内の前記ヒンジにより、前記固定台の一側端部に結合されたアームを、前記上部サッシの側壁と前記液晶表示モジュールの側壁と間に位置するように配置させる段階と、前記上部サッシの側壁と前記液晶表示モジュールの側壁を、前記アームを経由して固定する段階とを含む。
【００１１】
本発明の他の特徴によると、本発明による液晶表示モジュールが設置された上部サッシを備えており、前記上部サッシは下部サッシに旋回可能に固定されるコンピューターの液晶表示モジュール装置は、前記下部サッシの内側面に固定された固定台と、前記固定台に結合されたヒンジと、前記のヒンジにより前記固定台の一側端部に旋回可能に結合されたアームと、前記のアームを通して前記上部サッシと前記液晶表示モジュールを固定するための固定部材を備える。
【００１２】
本発明のまた他の特徴によると、本発明による液晶表示モジュールを有する上部サッシ、下部サッシ、前記の上部サッシを前記の下部サッシに結合する固定台、前記の固定台に結合されたヒンジ及び、前記のヒンジに結合されたアームを供えており、前記下部サッシは前記固定台に結合されたヒンジを含むコンピューターの液晶表示モジュールを固定する方法は、前記下部サッシ内の前記ヒンジにより、前記固定台の一側端部に結合されたアームを、前記上部サッシの側壁と前記液晶表示モジュールの側壁と間に位置するように配置させる段階と、前記上部サッシの側壁と前記液晶表示モジュールの側壁を、前記アームを経由して固定する段階を含む。
【００１３】
本発明のまた他の特徴によると、本発明による液晶表示モジュールが設置された上部サッシを備えており、前記の上部サッシは下部サッシに旋回可能に固定されるコンピューターの液晶表示モジュール固定装置は、前記下部サッシの内側面に前記の固定台を固定するための手段と、前記固定台に結合されたヒンジと、前記のヒンジにより前記固定台の一側端部に旋回可能にアームを結合するための手段と、前記のアームを通して前記上部サッシと前記の液晶表示モジュールを固定するための手段とを備える。
【００１４】
本発明による液晶表示モジュール固定装置では、アームと液晶表示モジュールが上部サッシの側壁に固定されるので、ノートブックパーソナルコンピューターの作業工程を減らすことができる。併せて、本発明による液晶表示モジュール固定装置は、表示部の有効面積を増加させ得、引いてはノートブックパーソナルコンピューターのサイズを小さくすることができる。
【００１５】
【発明の実施の形態】
以下、本発明の実施の形態を、添付図面を参照して詳細に説明する。
【００１６】
図３は、本発明の実施の形態による液晶表示モジュール固定装置が適用されたノートブックパーソナルコンピューターの正断面図（拡大図）であり、図４は、本発明の実施の形態による液晶表示モジュール固定装置が適用されたノートブックパーソナルコンピューターの側断面図（拡大図）である。
【００１７】
図３及び図４において、ノートブックパーソナルコンピューターは、ヒンジ４０により下部サッシ３０に旋回可能に設置された上部サッシ３２を備える。この上部サッシ３２には、液晶表示モジュール３４が設置され、この液晶表示モジュール３４の縁（すなわち、側壁等）には保護台３４ａが設置される。上部サッシ３２は、四角形のプラスチック板３２ａと、このプラスチック板３２ａの縁から垂直に伸長された側壁等３２ｂ、前壁（図示されていない）及び後壁３２ｃとを備える。そして、この壁等（側壁等３２ｂ、前壁及び後壁３２ｃ）の上端には、プラスチック板３２ａと並行にまたは、プラスチック板３２ａ側に傾斜するように伸長された翼面部３２ｄが設置されている。
【００１８】
一方、前記ヒンジ４０は、固定台３６の一側端にアーム３８を旋回可能に結合する。この固定台３６は、前記上部サッシ３２の後壁３２ｃの中間地点から翼部３２ｄの最後部で形成された孔（図示されていない）を経由して、下部サッシ３０の内部まで伸長される。併せて、固定台３６の他側は、下部サッシ３０の後壁の内壁面にネジ等４２によって固定される。そしてアーム３８は、ヒンジ４０から液晶表示モジュール３４の側面の長さほど伸長され、合わせて保護台３４ａと上部サッシ３２の側壁３２ｂと対向するように形成される。それによって、アーム３８は、保護台３４ａと上部サッシ３２の側壁３２ｂとの間に位置するようにネジ４２によって固定される。この場合、ネジ４２は、上部サッシ３２の側壁３２ｂ及びアームを貫通し、保護台３４ａの中間部分まで到達して、上部サッシ３２に液晶表示モジュール３４とアーム３８とを結合させるようになる。それによって、上部サッシ３２と液晶表示モジュール３４とは、アーム３８と共に下部サッシ３０の後側縁を基準として旋回するようになる。ここにおいて、ヒンジ４０は上部サッシ３２の内部に位置されるが、上部サッシ３２のサイズを減らすための方案として下部サッシ３０に位置される場合もある。
【００１９】
以上において説明した内容を通して、当業者であれば本発明の技術思想を逸脱しない範囲で、多様な変更及び修正が可能であることがわかる。従って、本発明の技術的範囲は、明細書の詳細な説明に記載された内容に限定されるものでなく、特許請求の範囲よって定められなければならない。
【００２０】
【発明の効果】
前述のとおり、本発明による液晶表示モジュール固定装置では、アームと液晶表示モジュールが上部サッシの側壁に固定されるので、ノートブックパーソナルコンピューターの作業工程を減らすことができる。併せて、本発明による液晶表示モジュール固定装置は、表示部の有効面積を増加させ得、引いてはノートブックパーソナルコンピューターのサイズを小さくすることができる。
【図面の簡単な説明】
【図１】従来ノートブックパーソナルコンピューターの正断面図（部分拡大図）。
【図２】従来ノートブックパーソナルコンピューターの側断面図（部分拡大図）。
【図３】本発明の実施の形態によるノートブックパーソナルコンピューターの正断面図（部分拡大図）。
【図４】本発明の実施の形態によるノートブックパーソナルコンピューターの側断面図（部分拡大図）。
【符号の説明】
１０，３０：下部サッシ
１２，３２：上部サッシ
１４，３４：液晶表示モジュール
１４ａ，３４ａ：保護台
１６，３６：固定台
１８，３８：アーム
２０，３０：ヒンジ
２２，４２：ネジ
【図１】
2004004721.tif 000003
【図２】
2004004721.tif 000004
【図３】
2004004721.tif 000005
【図４】
2004004721.tif 000006